(57)【要約】      （修正有）【課題】パソコン付き携帯電話において、非使用時、すなわち、折り畳み時には、使用時に露出していた全ての搭載要素が露出しないようなパソコン付き携帯電話を提供する。【解決手段】電話機能を有し、電話用兼パソコン用ディスプレイ２と電話用ファンクションキー３と数字キー４を含む電話用搭載露出要素の全てを一つの面に集積して露出させた第１の筐体１０と、パソコン端末機能を有し、パソコン用キーボード５と電話用ファンクションキー３を含むパソコン用搭載露出要素の全てを一つの面に集積して露出させた第２の筐体２０とを、互いの前記搭載露出要素の露出面を内側にして、その露出面の一辺の回りにヒンジ１を介して３６０度回動可能、かつ、回動の途中、可逆的にロック可能なように連結する。【選択図】図１
2006166293.tif 000002
【特許請求の範囲】
【請求項１】
電話機能を有し、電話用兼パソコン用ディスプレイと電話用ファンクションキーと数字キーを含む電話用搭載露出要素の全てが一つの面に集積されて露出した第１の筐体と、パソコン端末機能を有し、パソコン用キーボードと電話用ファンクションキーを含むパソコン用搭載露出要素の全てが一つの面に集積されて露出した第２の筐体が、互いの前記搭載要素の露出面を内側にして、その露出面の一辺の回りにヒンジを介して３６０度回動可能、かつ、その回動の途中、可逆的にロック可能に連結されているパソコン付き携帯電話。
【請求項２】
請求項１に記載のパソコン付き携帯電話において、上記ディスプレイの画面サイズの縦横比が１６：９となっていることを特徴とするパソコン付き携帯電話。
【発明の詳細な説明】
【技術分野】
【０００１】
この発明は、パソコンの機能が併設されたパソコン付き携帯電話に関する。
【背景技術】
【０００２】
パソコンの機能が併設された折り畳み式の携帯電話の一従来例が下記の公知文献（特許文献１）に開示されている。この文献に開示されているパソコン付き携帯電話は、携帯電話の操作キーとして、併設しているパソコン用のキーボードのキーを兼用させ、従来の携帯電話のものより大き目で、それが搭載されている筐体の表面より少し突出した形態のものであることを利用して、その操作性を高めている。
【０００３】
併せて、その電話機能とパソコン機能の併設によるところの携帯性の低下を避けるために、パソコン用のキーボードを折り畳み式にしたり、電話機能を有した筐体側に収納可能な構造にしたりしている。
【特許文献１】特開２００１−３３９４９９号公報（第１図、第３図）
【発明の開示】
【発明が解決しようとする課題】
【０００４】
ここで、上記例示したパソコン付き携帯電話について、少し詳しく述べると、キーボード（図１、符号８）が露出している面を有した筐体（図１、符号２）と、一面がパソコン用ディスプレイ面（図１、符合７）となっている筐体（図１、符号１０）とを、そのキーボードの面とディスプレイ面とを内側にして折り畳む際、すなわち、パソコンの使用を終えて折り畳んだ際、そのキーボードを搭載した面の裏側が携帯電話用のディスプレイ（図３、符号５）とファンクションキー（図３、符号４）の露出した面となっていて、この露出要素のディスプレイとファンクションキーが表面に出てくるという形態になっている。
【０００５】
今日、一般に普及している携帯電話は大半が折りたたみ式で、電話機能を果たすための搭載要素の内、電話の使用時には外側に露出しているもの、例えば、ファンクションキーやディスプレイは、使用を終えて折り畳むと、外側には全く露出しないような形態を採っている。
【０００６】
折り畳み仕様というのは、携帯電話をコンパクトに携帯できるようにするともに、使用時に露出していた搭載要素（前記のファンクションキーやディスプレイ等）を隠して、使用者に、使用時と非使用時とのけじめをつけさせるような心理作用をもたらすものでもある。
【０００７】
この点、先ほどの公知文献に開示されたパソコン付き携帯電話はその仕様になっておらず、併設のパソコンを使用した後、折り畳んだ際も、依然として、電話用のディスプレイやファンクションキーが露出しているというのは、外見上、だらしのないような雰囲気を与えるものである。
【０００８】
それは、携帯電話にパソコン機能を併設したことによる、構造上の対策が採られていなかったことに起因するものと本発明者は思慮したのである。
【０００９】
そこで、この発明は、パソコン付き携帯電話において、非使用時、すなわち、折り畳み時には、使用時に露出していた全ての搭載要素が露出しないようなパソコン付き携帯電話を提供することを目的とする。
【課題を解決するための手段】
【００１０】
上記目的を達成するために本発明は、電話機能を有し、電話用兼パソコン用ディスプレイと電話用ファンクションキーと数字キーを含む電話用搭載露出要素の全てが一つの面に集積されて露出した第１の筐体と、パソコン端末機能を有し、パソコン用キーボードと電話用ファンクションキーを含むパソコン用搭載露出要素の全てが一つの面に集積されて露出した第２の筐体が、互いの前記搭載要素の露出面を内側にして、その露出面の一辺の回りにヒンジを介して３６０度回動可能、かつ、その回動の途中、可逆的にロック可能に連結されている構成としたのである。
【００１１】
このようにしたので、前記両筐体を互いの前記搭載要素の露出面を内側にして折り畳めば、それぞれの筐体の前記搭載露出要素の露出面の裏面には露出要素が一切露出していないので、この折り畳んだ状態の本発明のパソコン付き携帯電話は、全表面が搭載要素の露出していない面となる。
【００１２】
その際、上記ディスプレイの画面サイズの縦横比を１６：９とすれば、臨場感のある画面を楽しむことができる。
【発明の効果】
【００１３】
この発明は、上記のように構成したので、パソコン使用時には、パソコン用キーボードが露出している面を上にした状態で、第２の筐体を基準面上に載置して、ディスプレイが露出している第１の筐体を起こして、搭載面同士のなす角を鈍角にしてロックすると、ノート型パソコンのようにして使用できる。
【００１４】
また、電話を使用する際は、上記と反対側の向きに折り畳めば、その一方の面は携帯電話の面になるので、携帯電話としての使用もできる。
【００１５】
そして、パソコン並びに電話を使用した後は、両筐体の露出搭載要素の面を内側にして折り畳めば、使用時に露出していたディスプレイやキー類を完全に隠すことができ、前記公知文献に開示されたパソコン付き携帯電話のように、折り畳んだ状態でも、電話用のディスプレイとファンクションキーとが露出している形態のものとは違って、けじめがついて、外見上、引き締まったものとなる。
【発明を実施するための最良の形態】
【００１６】
以下、この発明の実施の形態を、図面を参照して説明する。図１は、本実施形態の折り畳み携帯電話の第１の筐体１０と第２の筐体２０とを、折り畳み状態から１８０度開いて、携帯電話の機能を有した第１の筐体１０とパソコン用のキーボード５が搭載され、パソコンの機能を有した第２の筐体２０のそれぞれの搭載露出要素の露出面を同一面に配置して示した図である。
【００１７】
図の上側が電話機能を有した第１の筐体１０であり、搭載露出要素が配設された露出面の図の右側にディスプレイ２と、左側にファンクションキー３と数字キー４とが露出している。図中、符号６を付したのはイヤホン部であり、符号７を付したのはスピーカ部である。これらが、この第１の筐体１０の露出面に露出してくる要素の全てであって、六面体（薄手直方体）を成す筐体の他の五つの面には露出要素は一切露出していない。
【００１８】
なお、この第１の筐体１０に搭載されたディスプレイ２は電話機能の内のメールの交信画面と、次に説明する第２の筐体２０が有するパソコン機能を使用する際のデータ画面の両方の役割を果たすものであるが、その長方形画面が、メールの交信画面としてはその長辺が縦方向を向くような姿勢を採り、パソコンのデータ画面としては、その短辺が縦方向を向くような姿勢を採っていて、通常の携帯電話のみ、あるいはパソコン機能のみの機器の場合と同じ形態であるので、違和感なく使用することができる。
【００１９】
さらに本実施形態では、その長方形画面の縦横の比を１６：９としているので、パソコン画面として、インターネットで娯楽番組（ドラマ、スポーツ中継等）を観賞する際には、臨場感のある映像を楽しむことができる。
【００２０】
他方、図の下側に示したのが今触れたパソコン機能を有した第２の筐体２０であり、搭載露出要素の露出面の大半に渡って、パソコン用キーボード５が配置されている。ここで、パソコン用キーボード５とはＪＩＳ基準ローマ字キーボードのことをいう。この第２の筐体２０の図の左下隅に、前記第１の筐体１０のものと同じ仕様の電話用ファンクションキー３が配置されている。これらが、この第１の筐体１０の露出面に露出してくる要素の全てであって、この第２の筐体２０においても、六面体（薄手直方体）を成す筐体の他の五つの面には露出要素は一切露出していない。
【００２１】
以上のような第１の筐体１０と第２の筐体２０とがヒンジ１を介して、その軸の周りに３６０度回動可能に、かつ、その回動の途中、任意の位置で可逆的にロック可能に連結されている。
【００２２】
図２は、図１に示した第１の筐体１０と第２の筐体２０の内、第１の筐体１０を図１の状態から紙面の手前側に折り畳んだ状態を示したものである。図に示したのは、第１の筐体１０の前記露出搭載要素の面の真裏の面に当たり、露出要素は全くない。この形態は、図示しない第２の筐体２０の前記露出搭載要素の面の真裏の面の場合も同様である。
【００２３】
このように、本実施形態のパソコン付き折り畳み式携帯電話は、両筐体１０、２０の露出搭載面を内側にして折り畳むと露出要素が全て隠されて、表面に出て来ることがない。従って、けじめのついた、引き締まった外観を呈するものとなる。
【００２４】
図３は、図２に示した折り畳みの状態から両筐体１０、２０を３６０度開いて、電話の使用状態にする過程を示した図であり、図に示すように、先ほどのパソコンの使用を終えた時の折り畳みの向きとは全く反対に折り畳んで、電話用のディスプレイ２とファンクションキー３と数字キー４並びに、スピーカ７とイヤホン６が露出した面を表面に出すことができ、電話をかけることができる。
【００２５】
図４は、図２に示した折り畳みの状態から両筐体を任意の角度に開いて、パソコンの使用状態にする過程を示した図である。図に示すように、第２の筐体２０を、キーボード５の露出した面を真上にして基準の水平面上に載置して、第１の筐体１０を起こしてゆき、使用者がディスプレイ２の画面を見易いと感じた角度でヒンジ１をロックしてパソコンの操作ができる状態にしている様子である。
【００２６】
なお、この図４には直接表れて来ないが、先ほどの図１の説明の際に述べたように、第２の筐体２０のキーボード５の搭載面には、その傍らに、第１の筐体１０のものと同じ仕様の電話用のファンクションキー３が配設されており、パソコンを操作している状態で電話の操作をすることもできる。
【産業上の利用可能性】
【００２７】
この発明は、パソコンの機能が付設された折り畳み式の携帯電話一般に広く適用可能である。
【図面の簡単な説明】
【００２８】
【図１】は、本発明の実施形態のパソコン付き携帯電話の第１の筐体と第２の筐体をそれらが連結されている回動軸の周りに回転させて、互いの搭載要素の露出面が１８０度の角度を成すようにした状態を示したものである。
【図２】は、図１に示した第１の筐体と第２の筐体を図１の場合から紙面の手前側に折り畳んだ状態を示したものである。
【図３】は、図２に示した折り畳みの状態から３６０度開いて、電話の使用状態にする過程を示した図である。
【図４】は、図２に示した折り畳みの状態から任意の角度に開いて、パソコンの使用状態にする過程を示した図である。
【符号の説明】
【００２９】
１    ヒンジ
２    ディスプレイ
３    ファンクションキー
４    数字キー
５    キーボード
６    イヤホン
７    スピーカ
１０    第１の筐体
２０    第２の筐体
【図１】
2006166293.tif 000003
【図２】
2006166293.tif 000004
【図３】
2006166293.tif 000005
【図４】
2006166293.tif 000006